(57)【特許請求の範囲】
【請求項１】
上下に離隔するように取り付けられ、相互間の対向方向の反対方向に装着空間がそれぞれ形成されてなる金属製の２つの水平側窓フレームと、
左右に離隔するように取り付けられ、相互間の対向方向とは反対方向に装着空間がそれぞれ形成されてなる金属製の２つの垂直側窓フレームと、
いずれか１つの水平側窓フレームの一端側装着空間内に収容される第１の収容結合端及び開放方向側に位置する垂直側窓フレームの装着空間内に収容される第２の収容結合端を有し、前記各収容結合端の少なくともいずれか１つの収容結合端の内壁には少なくとも１つ以上の付加取付部材が取り付けられてなる２つの開放側結合構造物と、
いずれか１つの水平側窓フレームの他端側装着空間内に収容される第１の収容結合端及び閉鎖方向側に位置する垂直側窓フレームの装着空間内に収容される第２の収容結合端を有し、前記各収容結合端の少なくともいずれか１つの収容結合端の内壁には少なくとも１つ以上の付加取付部材が取り付けられてなる２つの閉鎖側結合構造物と、
を含んでなり、
前記両水平側窓フレーム及び両垂直側窓フレームの装着空間内壁面には相互間の対向面に向かって突出した２つの第１の係止突起および２つの第２の係止突起が該当装着空間の開放方向に沿って順次離隔して形成され、
前記両開放側結合構造物及び両閉鎖側結合構造物を成す各収容結合端の両側外面には前記各窓フレームの両第１の係止突起にそれぞれかかる係止突起がそれぞれ突設されることを特徴とする金属製窓戸組立体。
【請求項２】
前記装着空間の内壁面の両第２の係止突起は前記両第１の係止突起より突出距離が短く形成され、
前記第１の垂直側窓フレームの装着空間のうち前記開放側結合構造物の第２の収容結合端が位置しない部位には該当第１の垂直側窓フレームの装着空間および端面を遮るように形成されるとともに内面両側には前記両第２の係止突起にそれぞれかかるように突出した突出突起が形成されたバックパネルがさらに備えられ、
前記開放側結合構造物の第２の収容結合端には前記第１の垂直側窓フレームの端面を遮る支持突起がさらに形成されることを特徴とする請求項１に記載の金属製窓戸組立体。
【請求項３】
前記両水平側窓フレームおよび両垂直側窓フレームの装着空間内壁面の端部側部位には相互間の対向面に向かって突出するとともに該当装着空間の開放方向に折り曲げられた折曲突起が形成され、
前記両開放側結合構造物及び両閉鎖側結合構造物を成す各収容結合端の両側外面の端部側部位には前記各窓フレームの折曲突起内に収容される折曲突起がそれぞれ突設されることを特徴とする請求項１又は２に記載の金属製窓戸組立体。
【請求項４】
前記開放側結合構造物及び閉鎖側結合構造物を成す各第１収容結合端に取り付けられる付加取付部材は、窓枠内の上下面に形成されるガイドレールの両側壁面に向かって圧縮又は復元できるようになった復元型振れ防止部を含んでなることを特徴とする請求項１に記載の金属製窓戸組立体。
【請求項５】
前記復元型振れ防止部は、前記開放側結合構造物を成す第１の収容結合端の内部両側面のうち、窓戸組立体の閉鎖操作時にガイドレールに隣接するいずれか一側面に取り付けられる第１の復元型振れ防止部、及び前記窓戸組立体の閉鎖操作時にガイドレールから遠くなる他の一側面に取り付けられる第２の復元型振れ防止部を含んでなることを特徴とする請求項４に記載の金属製窓戸組立体。
【請求項６】
前記第１の復元型振れ防止部は、
剛性を有する素材からなり、前記開放側結合構造物を成す第１の収容結合端の内部両側面のいずれか一側面に挿入されてかかる固定部材と、
圧縮及び復元可能な素材から形成され、前記固定部材の外壁面に一体に形成され、前記ガイドレールの一側壁面に密着する圧縮復元部材と、
前記圧縮復元部材の外壁面に一体に形成され、窓戸組立体の拘束力が解除される場合、前記圧縮復元部材とガイドレール間の隙間を遮断するとともに相互間の接触面積を減少させるブラシと、を含んでなることを特徴とする請求項５に記載の金属製窓戸組立体。
【請求項７】
前記第２の水平側窓フレーム内には窓枠内の上下面に形成されるガイドレールに沿って転がり移動する転がりローラーを備え、
前記開放側結合構造物において第１の垂直側窓フレーム内に収容される第２の収容結合端の内部両側面には窓枠内の両側面に形成される収容突起の両側面に隣接して位置するように突出し、前記転がりローラーが前記ガイドレールから離脱することを防止する離脱防止段がさらに形成されることを特徴とする請求項１に記載の金属製窓戸組立体。
【請求項８】
前記閉鎖側結合構造物を成す第２の収容結合端の内部に取り付けられる付加取付部材は、窓枠内の両側面に形成される収容突起との接触時に衝撃を吸収する衝撃吸収部材を含んでなることを特徴とする請求項１に記載の金属製窓戸組立体。
【請求項９】
前記第２の水平側窓フレーム内には窓枠内の上下面に形成されるガイドレールに沿って転がり移動する転がりローラーが備えられ、
前記閉鎖側結合構造物において第２の垂直側窓フレーム内に収容される第２の収容結合端の内部両側面には窓枠内の両側面に形成される収容突起の両側面に隣接して位置するように突出して、前記転がりローラーが前記ガイドレールから離脱することを防止する離脱防止段がさらに形成されることを特徴とする請求項１に記載の金属製窓戸組立体。
【発明の詳細な説明】
【技術分野】
【０００１】
本発明は窓戸組立体に係り、より詳しくは水平側窓フレーム及び垂直側窓フレーム間の正確な結合を誘導するとともにこの結合状態が安定的に維持されるようにし、特に両窓フレーム間の結合部位の広がりや段差を防止するとともに各付加取付部材の結合のための構造を単純化することができるようにした新しい形態の窓フレーム結合用結合構造物を有する金属製窓戸組立体に関する。
【背景技術】
【０００２】
一般に、窓戸組立体は建物の内部を外部から遮断させるために窓又は出入口などの開口部に設置される各種の窓又は戸を意味し、その使用材料によって木製窓戸組立体、金属製窓戸組立体、プラスチック製窓戸組立体などに分類できる。
【０００３】
このような窓戸組立体は、ウィンドウ（ｇｌａｓｓ）と、前記ウィンドウの周面に結合される窓フレームとを含んでなり、壁面の開口部に構築された窓枠にスライド移動可能に設置される。
【０００４】
特に、前記窓フレームの場合、前記ウィンドウの上下側縁部に結合される両水平側窓フレームと前記ウィンドウの左右側縁部に結合される二つの垂直側窓フレームを含んでなる。ここで、前記両水平側窓フレームの両端と前記両垂直側窓フレームの両端間の結合によって四角枠構造の窓フレームを成すことになる。
【０００５】
一方、前記両水平側窓フレームと両垂直側窓フレーム間の結合は通常相互間の結合部位に結合構造物を追加的に提供した後、このような結合構造物を用いて締結することが一般的である。これに関連しては、韓国特許登録第１０−０７７００５６号公報、韓国特許登録第１０−１０５１８８３号公報、韓国登録実用新案第２０−０４３５１１８号公報、韓国特許登録第１０−１１５７０８６号公報、韓国登録実用新案第２０−０４３３０１６号公報、韓国登録実用新案第２０−０４２８７８５号公報、韓国登録実用新案第２０−０４１６６８３号公報、韓国登録実用新案第２０−０３５５５１０号公報、韓国特許公開第１０−２０１６−００７２６５６号公報などに開示されているようである。
【０００６】
しかし、前述した従来技術による結合構造物は前記各窓フレームの端部に備えられる各種の付加取付部材（例えば、気密部材など）の設置による干渉及び動作による干渉を回避するように構成されることから、各窓フレームの内部構造の形状が複雑になるという問題点がある。
【０００７】
また、前述した従来技術による結合構造物は各窓フレームの内側の中でも中央側部位に結合するように構成されることにより、前記各窓フレームの枠側部位の場合、互いに正確に一致することができず、一部の浮き上がり現象又は重複現象が発生して美観を不良にする問題点がある。もちろん、一部の従来技術の場合、各窓フレームの外面に密着して固定される構造も提供されているが、この場合、外観に対する使用者の不満を引き起こすという問題点がある。
【発明の概要】
【発明が解決しようとする課題】
【０００８】
本発明は前述した従来技術による各種の問題点を解決するために案出されたもので、本発明の目的は、水平側窓フレーム及び垂直側窓フレーム間の正確な結合を誘導するとともにこの結合状態が安定的に維持されるようにし、特に両窓フレーム間の結合部位に対する広がり又は段差を防止するとともに各付加取付部材の結合のための構造を単純化することができるようにした新しい形態の窓フレーム結合用結合構造物を有する金属製窓組立体を提供することにある。
【課題を解決するための手段】
【０００９】
前述した目的を達成するための本発明の金属製窓戸組立体は、上下に離隔するように取り付けられ、相互間の対向方向の反対方向に装着空間がそれぞれ形成されてなる金属製の２つの水平側窓フレームと、左右に離隔するように取り付けられ、相互間の対向方向とは反対方向に装着空間がそれぞれ形成されてなる金属製の２つの垂直側窓フレームと、いずれか一水平側窓フレームの一端側装着空間内に収容される第１の収容結合端及び開放方向側に位置する垂直側窓フレームの装着空間内に収容される第２の収容結合端を有し、前記各収容結合端の少なくともいずれか一収容結合端の内壁には少なくとも１つ以上の付加取付部材が取り付けられてなる２つの開放側結合構造物と、いずれか一水平側窓フレームの他端側装着空間内に収容される第１の収容結合端及び閉鎖方向側に位置する垂直側窓フレームの装着空間内に収容される第２の収容結合端を有し、前記各収容結合端の少なくともいずれか一収容結合端の内壁には少なくとも１つ以上の付加取付部材が取り付けられてなる２つの閉鎖側結合構造物と、を含んでなることを特徴とする。
【００１０】
ここで、前記両水平側窓フレーム及び両垂直側窓フレームの装着空間内壁面には相互間の対向面に向かって突出した２つの第１の係止突起および２つの第２の係止突起が該当する装着空間の開放方向に沿って順次離隔して形成され、前記両開放側結合構造物及び両閉鎖側結合構造物を成す各収容結合端の両側外面には前記各窓フレームの両第１の係止突起にそれぞれかかる係止突起がそれぞれ突設されることを特徴とする。
【００１１】
また、前記装着空間内壁面の両第２の係止突起は前記両第１の係止突起より突出距離が短く形成され、前記第１の垂直側窓フレームの装着空間のうち前記開放側結合構造物の第２の収容結合端が位置しない部位には該当する第１の垂直側窓フレームの装着空間及び端面を遮るように形成されるとともに内面両側には前記両第２の係止突起にそれぞれかかるように突出した突出突起が形成されたバックパネルがさらに備えられ、前記開放側結合構造物の第２の収容結合端には前記第１の垂直側窓フレームの端面を遮る支持突起がさらに形成されることを特徴とする。
【００１２】
また、前記両水平側窓フレーム及び両垂直側窓フレームの装着空間内壁面の端部側部位には相互間の対向面に向かって突出するとともに該当する装着空間の開放方向に折り曲げられた折曲突起が形成され、前記両開放側結合構造物及び両閉鎖側結合構造物を成す各収容結合端の両側外面の端部側部位には前記各窓フレームの折曲突起内に収容される折曲突起がそれぞれ突設されることを特徴とする。
【００１３】
また、前記開放側結合構造物及び閉鎖側結合構造物を成す各第１の収容結合端に取り付けられる付加取付部材は、窓枠内の上下面に形成されるガイドレールの両側壁面に向かって圧縮又は復元できるようになった復元型振れ防止部を含んでなることを特徴とする。
【００１４】
また、前記復元型振れ防止部は、前記開放側結合構造物を成す第１の収容結合端の内部両側面のうち、窓戸組立体の閉鎖操作時にガイドレールに隣接するいずれか一側面に取り付けられる第１の復元型振れ防止部、及び前記窓戸組立体の閉鎖操作時にガイドレールから遠くなる他の一側面に取り付けられる第２の復元型振れ防止部を含んでなることを特徴とする。
【００１５】
また、前記第１の復元型振れ防止部は、剛性を有する素材からなり、前記開放側結合構造物を成す第１の収容結合端の内部両側面のいずれか一側面に挿入されてかかる固定部材と、
圧縮及び復元可能な素材から形成され、前記固定部材の外壁面に一体に形成され、前記ガイドレールの一側壁面に密着する圧縮復元部材と、前記圧縮復元部材の外壁面に一体に形成され、窓戸組立体の拘束力が解除される場合、前記圧縮復元部材とガイドレール間の隙間は遮断しながらも相互間の接触面積を減らすブラシとを含んでなることを特徴とする。
【００１６】
また、前記第２の復元型振れ防止部は、剛性を有する素材からなり、前記開放側結合構造物を成す第１の収容結合端の内部両側面の他の一側面に挿入されてかかる固定部材と、前記固定部材の外壁面に一体に形成され、窓戸組立体の拘束力が解除される場合、前記固定部材とガイドレール間の接触面積を減らすブラシとを含んでなることを特徴とする。
【００１７】
また、前記第２の水平側窓フレーム内には窓枠内の上下面に形成されるガイドレールに沿って転がり移動する転がりローラーが備えられ、前記開放側結合構造物において第１の垂直側窓フレーム内に収容される第２の収容結合端の内部両側面には窓枠内の両側面に形成される収容突起の両側面に隣接して位置するように突出し、前記転がりローラーが前記ガイドレールから離脱することを防止する離脱防止段がさらに形成されることを特徴とする。
【００１８】
また、前記閉鎖側結合構造物を成す第２の収容結合端の内部に取り付けられる付加取付部材は、窓枠内の両側面に形成される収容突起との接触時に衝撃を吸収する衝撃吸収部材を含んでなることを特徴とする。
【００１９】
また、前記閉鎖側結合構造物を成す第２の収容結合端に取り付けられる付加取付部材は、窓戸組立体の閉鎖動作時に窓枠内の両側面に形成された収容突起に次第に接触して加圧するようになった遊び吸収部材を含んでなり、前記遊び吸収部材は互いに異なる大きさを有する複数の種類別に提供され、交替可能に選択的に取り付けられることを特徴とする。
【００２０】
また、前記第２の水平側窓フレーム内には窓枠内の上下面に形成されるガイドレールに沿って転がり移動する転がりローラーが備えられ、前記閉鎖側結合構造物において第２の垂直側窓フレーム内に収容される第２の収容結合端の内部両側面には窓枠内の両側面に形成される収容突起の両側面に隣接して位置するように突出して、前記転がりローラーが前記ガイドレールから離脱することを防止する離脱防止段がさらに形成されることを特徴とする。
【００２１】
そして、前記目的を達成するための本発明の他の形態による金属製窓戸によれば、窓枠に取り付けられ、ウィンドウの上下側縁部に結合される金属製の二つの水平側窓フレーム及びウィンドウの左右側縁部に結合される金属製の二つの垂直側窓フレームを有する窓戸組立体であって、水平側窓フレームに結合される第１の収容結合端及び二つの垂直側窓フレームのうち開放方向側の垂直側窓フレームに結合される第２の収容結合端を有し、内部には窓枠の内面に形成されたガイドレール及び収容突起が収容される収容空間を有するようになった開放側結合構造物と、水平側窓フレームに結合される第１の収容結合端及び二つの垂直側窓フレームのうち閉鎖方向側の垂直側窓フレームに結合される第２の収容結合端を有し、内部には窓枠の内面に形成されたガイドレール及び収容突起が収容される収容空間を有するようになる二つの閉鎖側結合構造物と、を含んでなることを特徴とする。
【００２２】
そして、前記目的を達成するための本発明のさらに他の形態による金属製窓戸によれば、下側端内にはウィンドウの上側縁部が収容されて結合され、上側端内には装着空間が形成されてなる金属製の第１の水平側窓フレームと、上側端内にはウィンドウの下側縁部が収容されて結合され、下側端内には装着空間が形成されてなる金属製の第２の水平側窓フレームと、一側端内にはウィンドウの開放方向側縁部が収容されて結合され、他側端内には装着空間が形成されてなる金属製の第１の垂直側窓フレームと、一側端内にはウィンドウの閉鎖方向側縁部が収容されて結合され、他側端内には装着空間が形成されてなる金属製の第２の垂直側窓フレームと、いずれか一水平側窓フレームの装着空間内に収容される第１の収容結合端及び第１の垂直側窓フレームの装着空間内に収容される第２の収容結合端を有し、前記各収容結合端の少なくともいずれか一収容結合端の内壁には少なくとも一つ以上の付加取付部材が取り付けられてなる二つの開放側結合構造物と、を含んでなることを特徴とする。
【００２３】
そして、前記目的を達成するための本発明のさらに他の形態による金属製窓戸によれば、下側端内にはウィンドウの上側縁部が収容されて結合され、上側端内には装着空間が形成されてなる金属製の第１の水平側窓フレームと、上側端内にはウィンドウの下側縁部が収容されて結合され、下側端内には装着空間が形成されてなる金属製の第２の水平側窓フレームと、一側端内にはウィンドウの開放方向側縁部が収容されて結合され、他側端内には装着空間が形成されてなる金属製の第１の垂直側窓フレームと、一側端内にはウィンドウの閉鎖方向側縁部が収容されて結合され、他側端内には装着空間が形成されてなる金属製の第２の垂直側窓フレームと、水平側窓フレームの装着空間内に収容される第１の収容結合端及び第２の垂直側窓フレームの装着空間内に収容される第２の収容結合端を有し、前記各収容結合端の少なくともいずれか一収容結合端の内壁には少なくとも一つ以上の付加取付部材が取り付けられてなる二つの閉鎖側結合構造物と、を含んでなることを特徴とする。
【発明の効果】
【００２４】
以上のように、本発明の金属製窓戸組立体は各角部位である各窓フレーム間の結合部位にそれぞれの結合構造物を収容して結合することによって該当部位が容易に結合でき、特に前記各結合構造物は嵌合方式で各窓フレームに結合されるように構成されるので、作業を手軽く進めることができる効果を有する。
【００２５】
また、本発明の金属製窓戸組立体は、各窓フレームの内壁面に拘束されるとともに各窓フレームの端部側部位も一括して拘束されるように構成されるので、各窓フレームの結合部位に発生し得る段差を防止し、金属製窓戸組立体の美観をもっと秀麗に成すことができる効果を有する。
【００２６】
特に、本発明の金属製窓戸組立体は、復元型振れ防止部と、衝撃吸収部材及び遊び吸収部材などの付加取付部材を各結合構造物に備えることができるように構成されることにより、単純に窓の設置現場で各結合構造物を各窓フレームに結合する作業のみで手軽く窓組立体を組み立てることができ、また各結合構造物を用いた各窓フレーム間の結合時、前記付加取付部材による干渉現象を防止してもっと手軽く組立作業を実施することができる効果を有する。
【００２７】
また、本発明の金属製窓戸組立体は、各結合構造物に離脱防止段をそれぞれ形成することにより、各復元型振れ防止部の摩耗又はその他の原因による窓戸組立体の振動又は遊動が発生しても前記ガイドレールから転がりローラーが離脱するおそれを根本的に防止するという効果を有する。
【００２８】
また、本発明の金属製窓戸組立体は、第１の垂直側窓フレームの装着空間をバックパネルで閉鎖することができるとともに前述したバックパネルを用いた閉鎖作業を手軽く実施することができる効果を有する。
【００２９】
また、本発明の金属製窓戸組立体は断熱素材から形成されるので、窓枠からの熱伝導を防止することができる効果を有する。
【図面の簡単な説明】
【００３０】
【図１】図１は、本発明の実施形態の金属製窓戸組立体が窓枠に取り付けられた状態を説明するために概略化して示した状態図である。
【図２】図２は、本発明の実施形態の金属製窓戸組立体が窓枠に取り付けられた状態を説明するために示した縦断面図である。
【図３】図３は、本発明の実施形態の金属製窓戸組立体が窓枠に取り付けられた状態を説明するために示した横断面図である。
【図４】図４は、本発明の実施形態の金属製窓組立体を説明するために示した分解斜視図である。
【図５】図５は、本発明の実施形態の金属製窓組立体を説明するために示した結合斜視図である。
【図６】図６は、本発明の実施形態の金属製窓戸組立体の各結合構造物の設置状態を説明するために示した状態図である。
【図７】図７は、本発明の実施形態の金属製窓戸組立体の各周囲側の状態を説明するために示した状態図である。
【図８】図８は、本発明の実施形態の金属製窓戸組立体の各周囲側の状態を説明するために示した状態図である。
【図９】図９は、本発明の実施形態の金属製窓戸組立体の各周囲側の状態を説明するために示した状態図である。
【図１０】図１０は、本発明の実施形態の金属製窓戸組立体の各周囲側の状態を説明するために示した状態図である。
【図１１】図１１は、図２の“Ａ”部の拡大図である。
【図１２】図１２は、図２の“Ｂ”部の拡大図である。
【図１３】図１３は、図３の“Ｃ”部の拡大図である。
【図１４】図１４は、図３の“Ｄ”部の拡大図である。
【図１５】図１５は、本発明の実施形態の金属製窓戸組立体において開放側結合構造物を説明するために各方向に見た状態を示した分解及び結合斜視図である。
【図１６】図１６は、本発明の実施形態の金属製窓戸組立体において開放側結合構造物を説明するために各方向に見た状態を示した分解及び結合斜視図である。
【図１７】図１７は、本発明の実施形態の金属製窓戸組立体において開放側結合構造物を説明するために各方向に見た状態を示した分解及び結合斜視図である。
【図１８】図１８は、本発明の実施形態の金属製窓戸組立体において閉鎖側結合構造物を説明するために各方向に見た状態を示した分解及び結合斜視図である。
【図１９】図１９は、本発明の実施形態の金属製窓戸組立体において閉鎖側結合構造物を説明するために各方向に見た状態を示した分解及び結合斜視図である。
【図２０】図２０は、本発明の実施形態の金属製窓戸組立体において閉鎖側結合構造物を説明するために各方向に見た状態を示した分解及び結合斜視図である。
【図２１】図２１は、本発明の実施形態の金属製窓戸組立体において閉鎖側結合構造物を説明するために各方向に見た状態を示した分解及び結合斜視図である。
【図２２】図２２は、本発明の実施形態の金属製窓戸組立体において開放側結合構造物を説明するために示した正面図である。
【図２３】図２３は、図２２のＩ−Ｉ線についての断面図である。
【図２４】図２４は、図２２のII−IIについての断面図である。
【図２５】図２５は、図２２のIII−III線についての断面図である。
【図２６】図２６は、本発明の実施形態の金属製窓戸組立体において閉鎖側結合構造物を説明するために示した正面図である。
【図２７】図２７は、図２６のI−I線についての断面図である。
【図２８】図２８は、図２６のII−II線についての断面図である。
【図２９】図２９は、本発明の実施形態の金属製窓戸組立体の組立過程を説明するために示した状態図である。
【図３０】図３０は、本発明の実施形態の金属製窓戸組立体の組立過程を説明するために示した状態図である。
【図３１】図３１は、本発明の実施形態の金属製窓戸組立体の組立過程を説明するために示した状態図である。
【図３２】図３２は、本発明の実施形態の金属製窓戸組立体の組立過程を説明するために示した状態図である。
【図３３】図３３は、本発明の実施形態の金属製窓戸組立体の組立過程を説明するために示した状態図である。
【図３４】図３４は、本発明の実施形態の金属製窓戸組立体の組立過程を説明するために示した状態図である。
【図３５】図３５は、本発明の実施形態の金属製窓戸組立体の組立過程を説明するために示した状態図である。
【図３６】図３６は、本発明の他の実施形態の金属製窓戸組立体の各例を説明するために示した要部拡大図である。
【発明を実施するための形態】
【００３１】
以下、本発明の金属製窓戸組立体の好適な実施の形態を添付の図１〜図３６に基づいて説明する。
【００３２】
図１は本発明の実施形態の金属製窓戸組立体が窓枠に取り付けられた状態を説明するために概略化して示した状態図、図２は本発明の実施形態の金属製窓戸組立体が窓枠に取り付けられた状態を説明するために示した縦断面図、図３は本発明の実施形態の金属製窓戸組立体が窓枠に取り付けられた状態を説明するために示した横断面図である。
【００３３】
これによれば、本発明の実施形態の金属製窓戸組立体は窓枠１０内で左右にスライドしながら開放するか又は閉鎖する構成であり、また室内側の両窓戸組立体と室外側の両窓戸組立体を二重窓構造としたものをその例とする。もちろん、図示されていないが、本発明の実施形態の金属製窓戸組立体を単窓構造としてもよいし、または三重窓以上の多重窓構造とすることもできる。
【００３４】
図４〜図２８は、本発明の実施形態の金属製窓戸組立体の説明のために各方向から見た状態と要部拡大及び各結合構造物の状態をそれぞれ示す構成図である。
【００３５】
これらの図に示すように、本発明の実施形態の金属製窓戸組立体は、大きく二つの水平側窓フレーム１１０、１２０及び二つの垂直側窓フレーム１３０、１４０、二つの開放側結合構造物２００、及び二つの閉鎖側結合構造物３００を含み、特に前記各結合構造物２００、３００は各窓フレーム１１０、１２０、１３０、１４０間の結合及び強度補強だけではなく、気密と衝撃吸収及び遊動及び振れ防止のための各種機能も同時に果たすようにするとともに、各結合構造物２００、３００に各種の付加取付部材４１０、４２０、４３０、４４０が取り付けられる（各窓フレーム１１０、１２０、１３０、１４０に各種の付加取付部材４１０、４２０、４３０、４４０を取り付けるものではない）ので、前記各付加取付部材４１０、４２０、４３０、４４０による各結合構造物２００、３００の組立時の干渉現象、組立の難しさ及び不安定な結合構造のような従来の問題点を解消できるようにすることを特徴とする。
【００３６】
これを各構成別にさらに詳細に説明する。
【００３７】
まず、前記水平側窓フレーム１１０、１２０はウィンドウ（図示せず）の上下側縁部に結合されて水平に取り付けられる窓フレームである。
【００３８】
このような水平側窓フレーム１１０、１２０は、下側端内にウィンドウの上側縁部が収容されて結合される第１の水平側窓フレーム１１０と、上側端内にウィンドウの下側縁部が収容されて結合される第２水平側窓フレーム１２０として提供される。
【００３９】
また、前記第１の水平側窓フレーム１１０の上側端の内部及び前記第２の水平側窓フレーム１２０の下側端の内部には装着空間１１１、１２１が形成され、このような装着空間１１１、１２１内に後述する各結合構造物２００、３００が収容されて結合されるように構成される。
【００４０】
特に、前記両水平側窓フレーム１１０、１２０の装着空間１１１、１２１の内壁面には相互間の対向面に向かって突出した二つの第１係止突起１１２、１２２及び二つの第２係止突起１１３、１２３が該当装着空間１１１、１２１の開放方向に沿って順次離隔するように形成される。前述した両第１の係止突起１１２、１２２は後述する各結合構造物２００、３００の結合のための部位である。
【００４１】
ここで、前記両第２の係止突起１１３、１２３の突出距離は前記両第１の係止突起１１２、１２２の突出距離より短く形成されることにより、前記各結合構造物２００、３００を前記装着空間１１１、１２１内に収容して結合するとき、前記各結合構造物２００、３００が両第２係止突起１１３、１２３と干渉することを防止する。
【００４２】
また、前記両水平側窓フレーム１１０、１２０の装着空間１１１、１２１の内壁面において端部側部位には相互間の対向面に向かって突出するとともに該当装着空間１１１、１２１の開放方向に折り曲げられた折曲突起１１４、１２４がさらに形成される。このような折曲突起１１４、１２４は後述する各結合構造物２００、３００との結合時、表面部位の広がり及び遊動ことを防止するとともに両水平側窓フレーム１１０、１２０と各結合構造物２００、３００が正確に結合されるようにする構造である。
【００４３】
また、前記両水平側窓フレーム１１０、１２０の装着空間１１１、１２１の内側には区画隔壁１１５、１２５が形成されて前記各結合構造物２００、３００の収容深さを制限するようになる。ここで、前記区画隔壁１１５、１２５の両側には前記各結合構造物２００、３００に向かって突出した装着突起１１６、１２６がそれぞれ形成されることにより、該当装着空間１１１、１２１の内部に収容された各結合構造物２００、３００の内側端部位が勝手に遊動することを防止するように構成される。
【００４４】
次に、前記垂直側窓フレーム１３０、１４０はウィンドウの左右側縁部に結合されて上下に立てられるように垂直に取り付けられる窓フレームである。
【００４５】
このような垂直側窓フレーム１３０、１４０は、一側端内にウィンドウの開放方向側縁部が収容されて結合される第１の垂直側窓フレーム１３０と、一側端内にウィンドウの閉鎖方向側縁部が収容されて結合される第２の垂直側窓フレーム１４０として提供される。
【００４６】
また、前記第１垂直側窓フレーム１３０の他側端の内部及び前記第２の垂直側窓フレーム１４０の他側端の内部には装着空間１３１、１４１が形成され、このような装着空間１３１、１４１内に後述する各結合構造物２００、３００が収容されて結合されるように構成される。
【００４７】
特に、前記両垂直側窓フレーム１３０、１４０の装着空間１３１、１４１の内壁面には相互間の対向面に向かって突出した二つの第１の係止突起１３２、１４２及び二つの第２の係止突起１３３、１４３が該当する装着空間１３１、１４１の開放方向に沿って順次離隔するように形成される。前述した両第１の係止突起１３２、１４２は後述する各結合構造物２００、３００の結合のための部位で、前記両第２の係止突起１３３、１４３は後述するバックパネル５００の結合のための部位である。
【００４８】
ここで、前記両第２の係止突起１３３、１４３の突出距離は前記両第１の係止突起１３２、１４２の突出距離より短く形成されることにより、前記各結合構造物２００、３００を前記装着空間１３１、１４１内に収容して結合するとき、前記各結合構造物２００、３００が両第２係止突起１３３、１４３と干渉することを防止する。
【００４９】
また、前記両垂直側窓フレーム１３０、１４０の装着空間１３１、１４１の内壁面において端部側部位には相互間の対向面に向かって突出するとともに該当する装着空間１３１、１４１の開放方向に折り曲げられた折曲突起１３４、１４４がさらに形成される。このような折曲突起１３４、１４４は、後述する各結合構造物２００、３００との結合時、表面部位の広がり及び遊動を防止するとともに二つの垂直側窓フレーム１３０、１４０と各結合構造物２００、３００が正確に結合されるようにする構造である。
【００５０】
また、前記両垂直側窓フレーム１３０、１４０の装着空間１３１、１４１の内側には区画隔壁１３５、１４５が形成されて前記各結合構造物２００、３００の収容深さを制限するようになる。ここで、前記区画隔壁１３５、１４５の両側には前記各結合構造物２００、３００に向かって突出した装着突起１３６、１４６がそれぞれ形成されることにより、該当する装着空間１３１、１４１の内部に収容された各結合構造物２００、３００の内側端部位が勝手に遊動することを防止するように構成される。
【００５１】
一方、前述した両水平側窓フレーム１１０、１２０及び両垂直側窓フレーム１３０、１４０はアルミニウムのような金属材から押出し成形される。
【００５２】
また、前記両水平側窓フレーム１１０、１２０及び両垂直側窓フレーム１３０、１４０の両端は対角線方向に傾くように形成されるとともに、相互間の結合時、互いに向き合って一致するように構成される。
【００５３】
次に、前記両開放側結合構造物２００は開放方向側に位置する第１の垂直側窓フレーム１３０の上端及び下端に両水平側窓フレーム１１０、１２０をそれぞれ結合するための構造物である。
【００５４】
このような開放側結合構造物２００は、図１５〜図１７及び図２２〜図２５に示したように、各水平側窓フレーム１１０、１２０の装着空間１１１、１２１内に収容されて結合される第１の収容結合端２１０と、第１の垂直側窓フレーム１３０の装着空間１３１内に収容されて結合される第２の収容結合端２２０とを含んでなる。
【００５５】
ここで、前記各収容結合端２１０、２２０は二つの側壁２１１、２１２、２２１、２２２及び連結壁２１３、２２３を有する断面「コ」字形状に形成されるとともに前記装着空間１１１、１２１、１３１内の各壁面に隣接した状態で覆うように形成される。ここで、第１の収容結合端２１０及び第２の収容結合端２２０は互いに９０°の角度に垂直に配置される。
【００５６】
また、前記各収容結合端２１０、２２０を成す二つの側壁２１１、２１２、２２１、２２２の外壁面には各窓フレーム１１０、１２０、１３０の両第１の係止突起１１２、１２２、１３２にそれぞれかかる係止突起２１４、２２４がそれぞれ突設される。ここで、前記係止突起２１４、２２４は、前記第１の係止突起１１２、１２２、１３２には安定的な係止状態を維持することができながらも第２の係止突起１１３、１２３、１３３には係止されないほどの突出距離を有するように形成される。
【００５７】
また、前記各収容結合端２１０、２２０を成す二つの側壁２１１、２１２、２２１、２２２の外壁面において端部側部位には各窓フレーム１１０、１２０、１３０の折曲突起１１４、１２４、１３４内に収容される折曲突起２１５、２２５がそれぞれ突設される。このような構造の折曲突起１１４、１２４、１３４と折曲突起２１５、２２５の結合によって前記各窓フレーム１１０、１２０、１３０の端部側部位の広がり又は振れ現象が防止される。特に、前記各収容結合端２１０、２２０の折曲突起２１５、２２５は、図１５〜図１７に示すように、互いに連結されるように形成されるとともに互いに向き合うように位置する二つの窓フレーム１１０、１２０、１３０間の端部側部位を同時に支えるように構成される。
【００５８】
すなわち、開放側結合構造物２００を各窓フレーム１１０、１２０、１３０に全く結合した場合、図１４に示すように、前記開放側結合構造物２００の両収容結合端２１０、２２０に形成された各折曲突起２１５、２２５が前記各窓フレーム１１０、１２０、１３０の端部側角部を同時に支えるので、該当各窓フレーム１１０、１２０、１３０の端部側角部位の広がりを全く防止することができるようになる。
【００５９】
また、前記各収容結合端２１０、２２０を成す連結壁２１３、２２３の外面両側には、前記各窓フレーム１１０、１２０、１３０の装着空間１１１、１２１、１３１内に位置する区画隔壁１１５、１２５、１３５の各装着突起１１６、１２６、１３６が収容されるように装着溝２１６、２２６がそれぞれ凹設され、このような装着溝２１６、２２６の構造により、前記装着空間１１１、１２１、１３１内に収容された各収容結合端２１０、２２０が該当装着空間１１１、１２１、１３１の内部から定位置を離脱するか又は勝手に遊動することを防止する。
【００６０】
また、前記両開放側結合構造物２００の第１の収容結合端２１０はその両側壁２１１、２１２の一部を該当側壁の係止突起２１４が位置する地点に至るまで切開されるように形成される。このような切開構造はバックパネル５００の結合のための構造である。
【００６１】
ここで、前記バックパネル５００は前記第１の垂直側窓フレーム１３０の装着空間１３１において両開放側結合構造物２００が位置しない部位に該当第１の垂直側窓フレーム１３０の装着空間１３１及び端面を遮るように形成される構成である。特に、前記バックパネル５００の内面両側には、前記第１の垂直側窓フレーム１３０の装着空間１３１内に形成された両第２の係止突起１３３にそれぞれかかるように突出突起５１０が突設される。
【００６２】
また、前記開放側結合構造物２００において前記第１の垂直側窓フレーム１３０内に収容される第２の収容結合端２２０の端部側部位には前記第１の垂直側窓フレーム１３０の端面を遮る支持突起２２７が外方に突設される。ここで、前記支持突起２２７は第１の垂直側窓フレーム１３０に結合される両開放側結合構造物２１０間のバックパネル５００による段差の発生を防止するようにしたものである。
【００６３】
一方、前記開放側結合構造物２００を成す第２の収容結合端２２０の両側壁２２１、２２２の内面には開放側装着溝２２８、２２９がそれぞれ凹設され、このような各開放側装着溝２２８、２２９は付加取付部材を備えている。
【００６４】
本発明の実施例では、前記各開放側装着溝２２８、２２９に備えられる付加取付部材が復元型振れ防止部４１０、４２０であることを提示する。
【００６５】
前述した復元型振れ防止部４１０、４２０は窓枠１０内の上下面に形成されるガイドレール１１の両側壁面に選択的に接触されながら圧縮又は復元可能になった部位であり、該当開放側結合構造物２００が取り付けられた部位の振れ防止及び早い原位置への復帰のために提供される部材である。
【００６６】
このような復元型振れ防止部４１０、４２０は、前記両開放側装着溝２２８、２２９のうち、窓戸組立体の閉鎖操作時にガイドレール１１に隣接する側の開放側装着溝（以下、「第１の開放側装着溝」という）２２８に取り付けられる第１の復元型振れ防止部４１０及びその反対側の開放側装着溝（以下、「第２の開放側装着溝」という）２２９に取り付けられる第２の復元型振れ防止部４２０からなる。
【００６７】
ここで、前記第１の復元型振れ防止部４１０は、剛性を有する素材からなり、前記開放側結合構造物２００を成す第２の収容結合端２２０の第１の開放側装着溝２２８内に挿入されて係合される固定部材４１１と、圧縮及び復元可能な素材から形成され、前記固定部材４１１の外壁面に一体に形成され、前記ガイドレール１１の一側壁面に密着する圧縮復元部材４１２と、前記圧縮復元部材４１２の外壁面に一体に形成され、窓戸組立体の拘束力が解除される場合、前記圧縮復元部材４１２とガイドレール１１間の隙間は遮断しながらも相互間の接触面積を減らすブラシ４１３とを含んでなる。特に、前記圧縮復元部材４１２はゴム素材のスポンジから形成され、十分に圧縮されながらも圧縮力の解除時には早く復元するようにする。
【００６８】
また、前記第２の復元型振れ防止部４２０は、剛性を有する素材からなり、前記第２の開放側装着溝２２９内に挿入されて係合される固定部材４２１と、前記固定部材４２１の外壁面に一体に形成される胴体部材４２２と、前記胴体部材４２２の外表面に一体に形成されるブラシ４２３とを含んでなる。
【００６９】
すなわち、前記第１の復元型振れ防止部４１０は、窓戸組立体の閉鎖操作時、ガイドレール１１のいずれか一側壁面に圧縮された状態で密着して該当窓組立体を拘束する役割を有するとともに窓戸組立体の開放操作時にはその開放操作が発生する瞬間ガイドレール１１との接触状態を維持しつつ圧縮復元部材４１２の復元によって迅速に拘束が解除されるようにすることにより窓戸組立体の開放が円滑になるようにし、前記第２の復元型振れ防止部４２０は、窓戸組立体の開放操作時、ガイドレール１１の他の一側壁面に接触して、該当窓戸組立体が風又は振動の影響などによって振れることを防止するように構成されている。
【００７０】
ここで、前記各復元型振れ防止部４１０、４２０の固定部材４１１、４２１は剛性を有するとともに各開放側装着溝２２８、２２９内に安定的な設置状態を維持することができるように、ＰＶＣ又はポリアミド素材から形成されることが好ましい。
【００７１】
そして、前記各復元型振れ防止部４１０、４２０を成すブラシ４１３、４２３は、該当窓戸組立体の拘束力が解除される場合、前記ガイドレール１１との接触面積を減少させて該当窓戸組立体のスライド移動が容易かつ円滑になるようにする構成である。
【００７２】
次に、前記両閉鎖側結合構造物３００は閉鎖方向側に位置する第２の垂直側窓フレーム１４０の上端及び下端に両水平側窓フレーム１１０、１２０をそれぞれ結合するための構造物である。
【００７３】
このような閉鎖側結合構造物３００は、図１８〜図２１及び図２６〜図２８に示すように、各水平側窓フレーム１１０、１２０の装着空間１１１、１２１内に収容されて結合される第１の収容結合端３１０と、第２の垂直側窓フレーム１４０の装着空間１４１内に収容されて結合される第２の収容結合端３２０とを含んでなる。
【００７４】
ここで、前記各収容結合端３１０、３２０は両側壁３１１、３１２、３２１、３２２及び連結壁３１３、３２３を有する断面「コ」字形状に形成され、前記装着空間１１１、１２１、１４１内の各壁面に隣接した状態で覆うように形成される。ここで、第１の収容結合端３１０及び第２の収容結合端３２０は互いに９０°の角度に垂直に配置されるように形成される。
【００７５】
また、前記各収容結合端３１０、３２０を成す両側壁３１１、３１２、３２１、３２２の外壁面には各窓フレーム１１０、１２０、１４０の両第１の係止突起１１２、１２２、１４２にそれぞれかかる係止突起３１４、３２４がそれぞれ突設される。ここで、前記係止突起３１４、３２４は前記第１の係止突起１１２、１２２、１４２には安定的な係止状態を維持することができながらも第２の係止突起１１３、１２３、１４３にはかからないほどの突出距離を有するように形成される。
【００７６】
また、前記各収容結合端３１０、３２０を成す両側壁３１１、３１２、３２１、３２２の外壁面の端部側部位には各窓フレーム１１０、１２０、１４０の折曲突起１１４、１２４、１４４内に収容される折曲突起３１５、３２５がそれぞれ折り曲げられ、このような構造による折曲突起１１４、１２４、１４４と折曲突起３１５、３２５の結合によって前記各窓フレーム１１０、１２０、１４０の端部側部位の広がり又は振れ現象が防止される。特に、前記各収容結合端３１０、３２０の折曲突起３１５、３２５は、図１８〜図２１に示すように、互いに連結されるように形成されるとともに互いに向き合うように位置する両窓フレーム１１０、１２０、１４０間の端部側部位を同時に支えるように構成される。
【００７７】
すなわち、閉鎖側結合構造物３００を各窓フレーム１１０、１２０、１４０に全く結合した場合、図１１及び図１３に示すように、前記閉鎖側結合構造物３００の両収容結合端３１０、３２０に形成された各折曲突起３１５、３２５が前記各窓フレーム１１０、１２０、１４０の端部側角部を同時に支えるので、該当各窓フレーム１１０、１２０、１４０の端部側角部位の広がりを全く防止することができるようになる。
【００７８】
また、前記各収容結合端３１０、３２０を成す連結壁３１３、３２３の外面両側には前記各窓フレーム１１０、１２０、１４０の装着空間１１１、１２１、１４１内に位置する区画隔壁１１５、１２５、１４５の各装着突起１１６、１２６、１４６が収容されるように装着溝３１６、３２６がそれぞれ凹設され、このような装着溝３１６、３２６の構造によって前記装着空間１１１、１２１、１４１内に収容された各収容結合端３１０、３２０が該当装着空間１１１、１２１、１４１の内部から定位置を離脱するか、または勝手に遊動することが防止される。
【００７９】
一方、前記閉鎖側結合構造物３００を成す第２の収容結合端３２０の両側壁３２１、３２２の内面には閉鎖側装着溝３２８、３２９がそれぞれ凹設され、このような各閉鎖側装着溝３２８、３２９は付加取付部材を備えている。
【００８０】
本発明の実施例では前記各閉鎖側装着溝３２８、３２９に備えられる付加取付部材が復元型振れ防止部４１０、４２０であることを提示する。
【００８１】
前述した復元型振れ防止部４１０、４２０は窓枠内の上下面に形成されるガイドレールの両側壁面に選択的に接触しながら圧縮又は復元できるようになった部位で、該当閉鎖側結合構造物３００が取り付けられた部位の振れ防止及び早い原位置への復帰のために提供される部材であり、前述した開放側結合構造物３００に取り付けられる第１の復元型振れ防止部４１０及び第２復元型振れ防止部４２０と同じ構造及び形状の製品として提供される。
【００８２】
ここで、前記第１の復元型振れ防止部４１０の固定部材４１１は、前記両閉鎖側装着溝３２８、３２９のうち、窓戸組立体の閉鎖操作時、ガイドレール１１に隣接した側の閉鎖側装着溝（以下、「第１の閉鎖側装着溝」という）３２８に取り付けられ、第２の復元型振れ防止部４２０の固定部材４２１はその反対側の閉鎖側装着溝（以下、「第２の閉鎖側装着溝」という）３２９に取り付けられる。
【００８３】
また、前記閉鎖側結合構造物３００を成す第１の収容結合端３１０の両側壁３１１、３１２の内面には閉鎖側取付溝３１８、３１９がそれぞれ凹設され、このような各閉鎖側取付溝３１８、３１９のいずれか一側の閉鎖側取付溝３１８には付加取付部材がさらに備えられる。
【００８４】
本発明の実施形態では前記閉鎖側取付溝３１８に取り付けられる付加取付部材は遊び吸収部材４３０であることを提示する。
【００８５】
前述した遊び吸収部材４３０は、窓戸組立体の閉鎖動作時、窓枠１０内の両側面に形成される収容突起１２に次第に接触しながら加圧するようになった製品である。ここで、前記遊び吸収部材４３０は多様な大きさを有するように提供され、該当窓戸組立体の拘束力を考慮して各大きさ別に選択して使うように構成される。
【００８６】
また、前記遊び吸収部材４３０は、前記閉鎖側取付溝３１８に収容されて装着される装着端４３１と、収容突起１２との接触時に圧縮される圧縮端４３２とを含んでなる。ここで、前記圧縮端４３２は前記収容突起１２に向かって次第に突出する構造に形成される。
【００８７】
また、前記閉鎖側結合構造物３００を成す第１の収容結合端３１０の内部には、該当窓戸組立体の閉鎖操作時、窓枠１０内の両側面に形成される収容突起１２との接触による衝撃を吸収するための衝撃吸収部材４４０がさらに備えられる。
【００８８】
ここで、前記衝撃吸収部材４４０は前記付加取付部材の一つであり、その一側端が前記第１の収容結合端３１０を成す連結壁３１３の内面に装着され、両側面は前記第１の収容結合端３１０を成す両側壁３１１、３１２の内面から突出した結合突起３１７にかかって結合されることによって前記第１の収容結合端３１０内に装着された状態を維持するようになる。
【００８９】
前述した衝撃吸収部材４４０も窓戸組立体の閉鎖時の停止位置によってその大きさが決定されて使われる。
【００９０】
一方、本発明の実施例による第２の水平側窓フレーム１２０内には窓枠１０内の上下面に形成されるガイドレール１１に沿って転がり移動する転がりローラー２０が備えられ、前記開放側結合構造物２００の角部位及び前記閉鎖側結合構造物３００の角部位に位置する両側壁には窓枠１０内の両側面に形成される収容突起１２の両側面に隣接して位置するように突出する離脱防止段２０１、３０１がさらに形成される。
【００９１】
ここで、前記離脱防止段２０１、３０１は前述した各復元型振れ防止部４１０、４２０の摩耗又は脱落現象が発生すると言っても前記転がりローラー２０が前記ガイドレール１１から離脱することを防止する役割をする。
【００９２】
また、本発明の実施例による両開放側結合構造物２００及び両閉鎖側結合構造物３００は断熱素材からなることを特徴とする。
【００９３】
すなわち、前述した各結合構造物２００、３００を断熱素材から形成することにより、窓枠１０の温度が窓戸組立体の各窓フレーム１１０、１２０、１３０、１４０に伝導されることを防止することができるようにした。これにより、窓戸組立体の断熱性を向上させるようにしたものである。
【００９４】
以下では、前述した本発明の実施例による金属製窓戸組立体の組立過程の一例及びその作用についてより詳細に説明する。
【００９５】
まず、図２９に示すように、閉鎖側結合構造物３００及び第１の水平側窓フレーム１１０をそれぞれ準備する。
【００９６】
このとき、前記閉鎖側結合構造物３００を成す各収容結合端３１０、３２０内の各取付溝３１８、３１９及び各装着溝３２８、３２９には第１の復元型振れ防止部４１０及び第２の復元型振れ防止部４２０と遊び吸収部材４３０がそれぞれ結合された状態であり、また前記閉鎖側結合構造物３００の第１の収容結合端３１０内には衝撃吸収部材４４０が装着された状態である。
【００９７】
この状態で、図３０に示すように、前記第１の水平側窓フレーム１１０のいずれか一側端内の装着空間１１１に閉鎖側結合構造物３００の第１の収容結合端３１０を挿着するとともに、図３１に示すように、該当第１の水平側窓フレーム１１０の他の一側端内の装着空間１１１に開放側結合構造物２００の第１の収容結合端２１０を挿着する。
【００９８】
ここで、前記開放側結合構造物２００を成す第２の収容結合端２２０内の各装着溝２２８、２２９には第１の復元型振れ防止部４１０及び第２の復元型振れ防止部４２０がそれぞれ結合された状態で提供される。
【００９９】
また、前述した作業が完了すれば、前記第１の水平側窓フレーム１１０に結合された閉鎖側結合構造物３００の第２の収容結合端３２０を第２の垂直側窓フレーム１４０の上側端内の装着空間１４１に挿着するとともに第１の水平側窓フレーム１１０に結合された開放側結合構造物２００の第２の収容結合端２２０を第１の垂直側窓フレーム１３０の上側端内の装着空間１３１に挿着する。これは図３２に示すとおりである。
【０１００】
その後、前述した第１の水平側窓フレーム１１０と開放側結合構造物２００及び閉鎖側結合構造物３００間の結合方式と同様な方式で第２の水平側窓フレーム１２０に開放側結合構造物２００及び閉鎖側結合構造物３００をそれぞれ結合し、ついで前記第２の水平側窓フレーム１２０に結合された閉鎖側結合構造物３００の第２の収容結合端３２０を第２の垂直側窓フレーム１４０の下側端内の装着空間１４１に挿着するとともに前記第２の水平側窓フレーム１２０に結合された開放側結合構造物２００の第２の収容結合端２２０は第１の垂直側窓フレーム１３０の下側端内の装着空間１３１に挿着する。これは図３３に示すとおりである。
【０１０１】
特に、前述した各結合構造物２００、３００を各窓フレーム１１０、１２０、１３０、１４０の装着空間１１１、１２１、１３１、１４１内に挿合すれば、前記装着空間１１１、１２１、１３１、１４１内に突設された第１係止突起１１２、１２２、１３２、１４２に前記各結合構造物２００、３００の係止突起２１４、２２４、３１４、３２４がそれぞれかかって拘束されることにより、別途のスクリュー締結によらなくても離脱のおそれなしに安定的に結合した状態を維持することができる。
【０１０２】
また、前記各結合構造物２００、３００に形成される折曲突起２１５、２２５、３１５、３２５は各窓フレーム１１０、１２０、１３０、１４０の折曲突起１１４、１２４、１３４、１４４内に収容されて結合されるので、前記各窓フレーム１１０、１２０、１３０、１４０の角側端が浮き上がる現象又は段差状に位置する現象及び窓戸組立体の動作時の振れ現象などの問題点を防止することができる。
【０１０３】
また、前述した各結合構造物２００、３００を用いた各窓フレーム１１０、１２０、１３０、１４０間の結合が完了すれば、第１の垂直側窓フレーム１３０の装着空間１３１のうち両開放側結合構造物２００間の部位にバックパネル５００を結合する。
【０１０４】
このとき、前記バックパネル５００は、その突出突起５１０が該当第１の垂直側窓フレーム１３０の装着空間１３１内に挿入されて前記装着空間１３１内の両第２の係止突起１３３にそれぞれかかって拘束され、これにより前記第１の垂直側窓フレーム１３０の装着空間１３１は前記バックパネル５００によって外部から閉鎖した状態を成すようになる。
【０１０５】
また、第２の水平側窓フレーム１２０の装着空間１２１内に転がりローラー２０を取り付ける。
【０１０６】
上述した一連の工程によって図５と図６に示す窓戸組立体が出来上がる。
【０１０７】
一方、前述した実施例の過程は窓組立体を成す各窓フレームが互いに分離された状態で提供される場合に対する一例であるだけ、このような過程によってだけ組み立てられる窓戸組立体に限定されない。
【０１０８】
すなわち、一般的な場合は、図３４に示すように、各水平側窓フレーム１１０、１２０及び各垂直側窓フレーム１３０、１４０が互いに一体化して単一窓フレームとして提供されることを考慮すると、このように提供された各窓フレームが連結される各角部位に、図３５に示すように、各結合構造物２００、３００をそれぞれ結合することによって図６に示した窓戸組立体に完成するようにすることが最も好適な実施例である。もちろん、このときにも前記各結合構造物２００、３００には付加取付部材が予め結合された状態で提供することが好ましい。
【０１０９】
一方、前記のように製造された金属製窓戸組立体は窓枠１０内のガイドレール１１に装着させることによってその設置が出来上がる。
【０１１０】
そして、前記のように設置された金属製窓戸組立体は、閉鎖操作される場合、第２垂直側窓フレーム１４０内に位置する閉鎖側結合構造物３００の衝撃吸収部材４４０が該当窓枠１０内の収容突起１２にぶつかりながら衝撃を吸収するとともに遊び吸収部材４３０の復元力によって該当窓戸組立体は閉鎖状態を維持することができるようになる。
【０１１１】
特に、前述したように窓戸組立体が閉鎖した状態では、第１の復元型振れ防止部４１０を成す圧縮復元部材４１２がガイドレール１１のいずれか一側壁面に圧縮された状態で密着しながら該当窓組立体を拘束する役割をする。
【０１１２】
仮に、前述した窓戸組立体の閉鎖状態で該当窓戸組立体が開放操作されれば、このような開放操作が発生する瞬間ガイドレール１１との接触状態は維持しながらも圧縮復元部材４１２の復元によって迅速に拘束が解除されるようにして窓戸組立体が円滑に開放されるようにし、さらに第２復元型振れ防止部４２０がガイドレール１１の他の一側壁面に接触して該当窓戸組立体の風又は振動の影響などによって振れることを防止する役割をもつ。
【０１１３】
また、前述した各復元型振れ防止部４１０、４２０の摩耗が発生する場合、窓戸組立体が窓枠１０内の左右（移動方向に直角の方向）方向に遊動することがあるので、転がりローラー２０がガイドレール１１から離脱するおそれがある。
【０１１４】
しかし、本発明の実施例による各結合構造物２００、３００には離脱防止段２０１、３０１がそれぞれ形成され、このような離脱防止段２０１、３０１がガイドレール１１の両側面に隣接して位置しているので、前記各復元型振れ防止部４１０、４２０の摩耗またはその他の原因による窓戸組立体の振動又は遊動が発生しても前記ガイドレール１１から転がりローラー２０が離脱するおそれは根本的に防止される。
【０１１５】
結局、本発明の金属製窓戸組立体は、各角部位である各窓フレーム１１０、１２０、１３０、１４０間の結合部位にそれぞれの結合構造物２００、３００を収容して結合することにより、該当部位を容易に結合することができるようになり、特に前記各結合構造物２００、３００は嵌合方式で各窓フレーム１１０、１２０、１３０、１４０に結合されるように構成されるので、作業を手軽く進めることができるようになる。
【０１１６】
また、本発明の金属製窓戸組立体は各窓フレーム１１０、１２０、１３０、１４０の内壁面に拘束されるとともに各窓フレーム１１０、１２０、１３０、１４０の端部側部位も一括して拘束されるように構成されるので、各窓フレーム１１０、１２０、１３０、１４０の結合部位で発生し得る段差を防止して金属製窓戸組立体の美観をもっと秀麗にすることができるようになる。
【０１１７】
特に、本発明の金属製窓戸組立体は、復元型振れ防止部４１０、４２０、衝撃吸収部材４４０及び遊び吸収部材４３０などの付加取付部材を各結合構造物２００、３００に備えることができるように構成されることにより、前記付加取付部材を各結合構造物２００、３００に予め結合しておいた状態で単に窓の設置現場で該当各結合構造物２００、３００を各窓フレーム１１０、１２０、１３０、１４０に結合する作業のみで手軽く窓組立体を組み立てることができ、さらに各結合構造物２００、３００を用いた各窓フレーム１１０、１２０、１３０、１４０間の結合時、前記付加取付部材による干渉現象が防止されるので、組立作業が手軽くなされることができるようになる。
【０１１８】
また、本発明の金属製窓戸組立体は、各結合構造物２００、３００に離脱防止段２０１、３０１をそれぞれ形成することにより、各復元型振れ防止部４１０、４２０の摩耗またはその他の原因による窓戸組立体の振動又は遊動が発生しても前記ガイドレール１１から転がりローラー２０が離脱するおそれは根本的に防止される。
【０１１９】
また、本発明の金属製窓戸組立体は、第１の垂直側窓フレーム１３０の装着空間１３１をバックパネル５００で閉鎖することができるとともに前述したバックパネル５００を用いて閉鎖作業を手軽く行うことができるようになる。
【０１２０】
一方、本発明の金属製窓戸組立体は上述の実施形態の構造のみに限定されない。
【０１２１】
例えば、衝撃吸収部材４４０の場合、上述の実施形態の図面に示すようなブロック体のみで形成されなければならないものではなく、図３６に示すように、内部が空いた構造に構成されることもできるものである。この場合、前記衝撃吸収部材４４０の大きさを減らすことができるので、この衝撃吸収部材４４０の構造によって第２の収容結合端３２０の構造も変わる。
【０１２２】
また、両垂直側窓フレーム１３０、１４０のうち室内側の垂直側窓フレーム１４０には、図３６に示すように、取手１４７が一体に押出し成形されるように構成されることもできる。すなわち、取手１４７の追加押出しによって別途に取手を組み立てるなどの不便を解消することができるものである。
【０１２３】
ここで、前記押出し成形によって発生する取手１４７の上下側の両端の開放部位は、例えばプラスチックパッキング（図示せず）で仕上げることにより、該当取手１４７内の空間に異物が流入することを防止することができる。
【０１２４】
このように、本発明の金属製窓戸組立体は多様な構造に実施することができる。
【符号の説明】
【０１２５】
１０…窓枠、１１…ガイドレール、１２…収容突起、２０…転がりローラー、
１１０、１２０…水平側窓プレ、１３０、１４０…垂直側窓プレ、
１１１、１２１、１３１、１４１…装着空間、
１１２、１２２、１３２、１４２…第１の係止突起、
１１３、１２３、１３３、１４３…第２の係止突起、
１１４、１２４、１３４、１４４…折曲突起、
１１５、１２５、１３５、１４５…区画隔壁、
１１６、１２６、１３６、１４６…装着突起、１４７…取手、
２００、３００…結合構造物、２０１、３０１…離脱防止段、
２１０、３１０…第１の収容結合端、
２１１、２１２、２２１、２２２、３１１、３１２、３２１、３２２…側壁、
２１３、２２３、３１３、３２３…連結壁、
２１４、２２４、３１４、３２４…係止突起、
２１５、２２５、３１５、３２５…折曲突起、
２１６、２２６、３１６、３２６…装着溝、
２２７…支持突起、２２８、２２９、３２８、３２９…装着溝、
３１８、３１９…取付溝、
４１０、４２０…復元型振れ防止部、４１１、４２１…固定部材、
４１３、４２３…ブラシ、４１２…圧縮復元部材、４２２…胴体部材、
４３０…遊び吸収部材、４３１…装着端、４３２…圧縮端、
４４０…衝撃吸収部材、５００…バックパネル、５１０…突出突起
【図１】
0006848083.tif 000002
【図２】
0006848083.tif 000003
【図３】
0006848083.tif 000004
【図４】
0006848083.tif 000005
【図５】
0006848083.tif 000006
【図６】
0006848083.tif 000007
【図７】
0006848083.tif 000008
【図８】
0006848083.tif 000009
【図９】
0006848083.tif 000010
【図１０】
0006848083.tif 000011
【図１１】
0006848083.tif 000012
【図１２】
0006848083.tif 000013
【図１３】
0006848083.tif 000014
【図１４】
0006848083.tif 000015
【図１５】
0006848083.tif 000016
【図１６】
0006848083.tif 000017
【図１７】
0006848083.tif 000018
【図１８】
0006848083.tif 000019
【図１９】
0006848083.tif 000020
【図２０】
0006848083.tif 000021
【図２１】
0006848083.tif 000022
【図２２】
0006848083.tif 000023
【図２３】
0006848083.tif 000024
【図２４】
0006848083.tif 000025
【図２５】
0006848083.tif 000026
【図２６】
0006848083.tif 000027
【図２７】
0006848083.tif 000028
【図２８】
0006848083.tif 000029
【図２９】
0006848083.tif 000030
【図３０】
0006848083.tif 000031
【図３１】
0006848083.tif 000032
【図３２】
0006848083.tif 000033
【図３３】
0006848083.tif 000034
【図３４】
0006848083.tif 000035
【図３５】
0006848083.tif 000036
【図３６】
0006848083.tif 000037